(57)【要約】【課題】取外しも道具を用いることなく簡単にコネクタを取り外す。【解決手段】フロントケース１１からリアケース１２を取り外し、一方の手でフロントケース１１を掴んで固定した状態で、リアケース１２を引き上げる。これによって、取外用凹部１４（１５）の押圧面１６（１７）が、作用凸部２５（２６）を押し上げ、ヘッダ部２２が引き上げられるように力を受け、嵌合凸部が嵌合凹部１９から徐々に引き離され、同時に、ＦＰＣ側コンタクトは基板側コンタクト１８から離隔し、非接続状態となる。こうして、雄型コネクタ８が雌型コネクタ４から取り外される。【選択図】図１
2008135298.tif 000002
【特許請求の範囲】
【請求項１】
一対の枠体が、相対向する態様で、組み付けられて構成される筐体の内部に、雄型のコネクタと雌型のコネクタとが接続されて実装されるスタッキングコネクタの接続実装構造であって、
前記雄型又は雌型のコネクタには、前記筐体を個々の前記枠体に分解する際、前記枠体同士を切り離すために、前記枠体間に加えられる機械力の余力を受けて、前記雌型又は雄型のコネクタから引き抜かれる引き抜き力作用部が設けられていて、
前記筐体を個々の前記枠体に分解する際、前記枠体間に加えられる機械力と前記引き抜き力作用部に作用する引き抜き力との協働により、前記筐体が前記個々の枠体に分解されると、前記雄型コネクタと前記雌型のコネクタとも切り離されて、前記スタッキングコネクタの接続を解除する構成になされていることを特徴とするスタッキングコネクタの接続実装構造。
【請求項２】
一方の前記枠体には、該枠体を他方の前記枠体から引き離すように前記機械力が加わると、前記雌型又は雄型のコネクタの所定の部位に形成された前記引き抜き力作用部を、前記雄型のコネクタと前記雌型のコネクタとを切り離すように押圧する引き抜き力授与部が設けられていることを特徴とする請求項１記載のスタッキングコネクタの接続実装構造。
【請求項３】
前記雄型のコネクタは、内部に第１の接触端子部が保持された第１の嵌合部を有し、前記雌型のコネクタは、内部に前記第１の接触端子部と接続される第２の接触端子部が保持され、前記第１の嵌合部と嵌合する第２の嵌合部を有していることを特徴とする請求項１又は２記載のスタッキングコネクタの接続実装構造。
【請求項４】
一方の前記枠体には、前記雄型のコネクタと前記雌型のコネクタとを接続する際に、前記雌型又は雄型のコネクタを差し入れるための開口部が形成されていることを特徴とする請求項１、２又は３記載のスタッキングコネクタの接続実装構造。
【請求項５】
前記雌型又は雄型のコネクタは、所定の箇所に前記引き抜き力作用部が形成された平板状の基板部に、前記第２又は第１の嵌合部が接続されてなり、前記引き抜き力授与部は、一方の前記枠体の前記開口部の縁部又は内壁部の所定の箇所に形成され、前記筐体を個々の前記枠体に分解する際に、前記引き抜き力作用部を押圧することを特徴とする請求項４記載のスタッキングコネクタの接続実装構造。
【請求項６】
前記引き抜き力作用部が前記引き抜き力授与部に載置されることによって、前記雄型のコネクタと前記雌型のコネクタとの接続方向及び引抜方向に略直交する平面に沿って、前記第２の嵌合部の前記第１の嵌合部に対する位置決めがなされることを特徴とする請求項３、４又は５記載のスタッキングコネクタの接続実装構造。
【請求項７】
前記基板部には、前記引き抜き力作用部としての少なくとも一対の作用凸部が形成され、一方の前記枠体の前記開口部の縁部には、対応する前記作用凸部が載置される前記引き抜き力授与部としての取外用凹部が形成されていることを特徴とする請求項５又は６記載のスタッキングコネクタの接続実装構造。
【請求項８】
前記基板部には、前記引き抜き力作用部としての少なくとも一対の作用凹部が形成され、一方の前記枠体の前記開口部の内壁部には、対応する前記作用凹部の縁部が載置される前記引き抜き力授与部としての取外用凸部が形成されていることを特徴とする請求項５又は６記載のスタッキングコネクタの接続実装構造。
【請求項９】
前記雄型のコネクタと前記雌型のコネクタとが嵌合されることによって、前記雄型又は雌型のコネクタが取り付けられ、他方の前記枠体に固定された第１の回路基板と、前記雌型又は雄型のコネクタが取り付けられた第２の回路基板とが接続されると共に、前記機械力と前記引き抜き力との協働により、前記筐体が前記個々の枠体に分解されると、前記雄型コネクタと前記雌型のコネクタとが切り離されて、前記第１の回路基板と前記第２の回路基板との接続が解除されることを特徴とする請求項１乃至８のいずれか１に記載のスタッキングコネクタの接続実装構造。
【請求項１０】
前記第２の回路基板としての可撓性印刷回路の一端に、前記雌型又は雄型のコネクタが、取り付けられていることを特徴とする請求項９記載のスタッキングコネクタの接続実装構造。
【請求項１１】
請求項１乃至１０のいずれか１に記載のスタッキングコネクタの接続実装構造を備えたことを特徴とする電子機器。
【発明の詳細な説明】
【技術分野】
【０００１】
この発明は、スタッキングコネクタの接続実装構造及び該構造を備えた電子機器に係り、例えば、携帯電話機において用いられる薄型の筐体に格納される回路基板と、ＦＰＣ（Flexible Printed Circuit）やＴＣＰ（Tape Carrier Package）等の可撓性印刷回路との接続及び取外しのためのスタッキングコネクタの接続実装構造及び該構造を備えた電子機器に関する。
【背景技術】
【０００２】
従来より、小型の電子機器としての例えば携帯電話機においては、基板間の電気的接続のために、組立作業が容易なスタッキングコネクタや、機器内で比較的自由に引き回すことができ、接続が容易な可撓性を有するフレキシブルプリント配線板（ＦＰＣ）が多用されている。特に、最近の機器の薄型化の要請から、薄型のスタッキングコネクタが採用されることが著しく増加してきている。
【０００３】
例えば、ＳＩＭ（Subscriber Identity Module）カードコネクタが搭載されたプリント配線板等の回路基板と、主回路基板とは、可撓性を有するフレキシブルプリント配線板を介して電気的に接続され、ここで、主回路基板に搭載された雌型コネクタと、フレキシブルプリント配線板の一端に取り付けられた雄型コネクタとが嵌合によって接続される（例えば、特許文献１参照。）。
【０００４】
このようなスタッキングコネクタが採用されている携帯電話機は、例えば、図７及び図８に示すように、フロントケース１０１とリアケース１０２とが、各種構成部品が内部に収納され、又は取り着けられた状態で、嵌合によって組み合された筐体１０３を備えている。なお、図７及び図８においては、携帯電話機の一部を、裏面側から見た様子を示している。
リアケース１０２には、雌型コネクタ１０４に雄型コネクタ１０５を接続する際に、雄型コネクタ１０５のヘッダ部１０６を差し入れるための開口部１０７が形成されている。
【０００５】
雌型コネクタ１０４は、フロントケース１０１の内面に配置された主回路基板１０８の開口部１０７の直下に配置されるように搭載され、雄型コネクタ１０５の嵌合凸部１０９が嵌合される枠状の嵌合凹部１１０を有している。
雌型コネクタ１０４は、各基板側コンタクトに対応した接続端子１１１，１１１，…を介して、はんだ付けによって主回路基板１０８に接続される。
【０００６】
雄型コネクタ１０５は、フレキシブルプリント配線板１１２の一端に取り付けられた平板状のヘッダ部１０６に、嵌合凹部１１０と嵌合し、内部に対応する基板側コンタクトと接続する複数の雌型のＦＰＣ側コンタクトが２列に配列された嵌合凸部１０９が取り付けられて構成されている。
嵌合凸部１０９は、各ＦＰＣ側コンタクトに対応した接続端子１１３，１１３，…を介して、はんだ付けによってヘッダ部１０６に接続される。
【０００７】
フレキシブルプリント配線板１１２に取り付けられた雄型コネクタ１０５を、雌型コネクタ１０４に接続する場合は、まず、ヘッダ部１０６を、フロントケース１０１の開口部１０７の真上に配置した後、降下させて、嵌合凸部１０９を嵌合凹部１１０に嵌め込んでいく。
これによって、基板側コンタクトとＦＰＣ側コンタクトとが完全に接触した状態で嵌合凸部１０９が嵌合凹部１１０に嵌め込まれる。このようにして、雄型コネクタ１０５と、雌型コネクタ１０４との接続が完了する。
【特許文献１】特開２０００−３３１７３０号公報
【発明の開示】
【発明が解決しようとする課題】
【０００８】
解決しようとする問題点は、雌型コネクタと雄型コネクタとは、接続は簡単であっても、取外しが簡単にできないという点である。
すなわち、一旦雌型コネクタと雄型コネクタとを、嵌合凹部に嵌合凸部を嵌合させることによって、コンタクト同士を接続した後に、取り外すためには、雄型コネクタのヘッダ部の先端に引っ掛けて外すための道具を用いるか、フロントケースからリアケースを取り外して、雄型コネクタを引き抜くか、又は雄型コネクタをフレキシブルプリント配線板と共に引き抜くしかない。
【０００９】
このため、取外しのために手間と時間がかかり、かつ、損傷や断線等を生じさせることなく円滑に取り外すことができるという保証がない。特に、雄型コネクタをフレキシブルプリント配線板と共に引き抜く場合には、断線の危険を冒さなければならない。
薄型のスタッキングコネクタが採用されることが著しく増加してきていることから、雄型コネクタの挿入時の部品破損も増加してきており、組立て時に、部品破損の際に、速やかに交換できるように、取外し容易性の向上が要求されている。
【００１０】
この発明は、上述の事情に鑑みてなされたもので、例えば、取外し用の道具を用いることなく簡単に、かつ、円滑に取り外すことができる取外し容易なスタッキングコネクタの接続実装構造及び該構造を備えた電子機器を提供することを目的としている。
【課題を解決するための手段】
【００１１】
上記課題を解決するために、請求項１記載の発明は、一対の枠体が、相対向する態様で、組み付けられて構成される筐体の内部に、雄型のコネクタと雌型のコネクタとが接続されて実装されるスタッキングコネクタの接続実装構造に係り、上記雄型又は雌型のコネクタには、上記筐体を個々の上記枠体に分解する際、上記枠体同士を切り離すために、上記枠体間に加えられる機械力の余力を受けて、上記雌型又は雄型のコネクタから引き抜かれる引き抜き力作用部が設けられていて、上記筐体を個々の上記枠体に分解する際、上記枠体間に加えられる機械力と上記引き抜き力作用部に作用する引き抜き力との協働により、上記筐体が上記個々の枠体に分解されると、上記雄型コネクタと上記雌型のコネクタとも切り離されて、上記スタッキングコネクタの接続を解除する構成になされていることを特徴としている。
【００１２】
また、請求項２記載の発明は、請求項１記載のスタッキングコネクタの接続実装構造に係り、一方の上記枠体には、該枠体を他方の上記枠体から引き離すように上記機械力が加わると、上記雌型又は雄型のコネクタの所定の部位に形成された上記引き抜き力作用部を、上記雄型のコネクタと上記雌型のコネクタとを切り離すように押圧する引き抜き力授与部が設けられていることを特徴としている。
【００１３】
また、請求項３記載の発明は、請求項１又は２記載のスタッキングコネクタの接続実装構造に係り、上記雄型のコネクタは、内部に第１の接触端子部が保持された第１の嵌合部を有し、上記雌型のコネクタは、内部に上記第１の接触端子部と接続される第２の接触端子部が保持され、上記第１の嵌合部と嵌合する第２の嵌合部を有していることを特徴としている。
【００１４】
また、請求項４記載の発明は、請求項１、２又は３記載のスタッキングコネクタの接続実装構造に係り、一方の上記枠体には、上記雄型のコネクタと上記雌型のコネクタとを接続する際に、上記雌型又は雄型のコネクタを差し入れるための開口部が形成されていることを特徴としている。
【００１５】
また、請求項５記載の発明は、請求項４記載のスタッキングコネクタの接続実装構造に係り、上記雌型又は雄型のコネクタは、所定の箇所に上記引き抜き力作用部が形成された平板状の基板部に、上記第２又は第１の嵌合部が接続されてなり、上記引き抜き力授与部は、一方の上記枠体の上記開口部の縁部又は内壁部の所定の箇所に形成され、上記筐体を個々の上記枠体に分解する際に、上記引き抜き力作用部を押圧することを特徴としている。
【００１６】
また、請求項６記載の発明は、請求項３、４又は５記載のスタッキングコネクタの接続実装構造に係り、上記引き抜き力作用部が上記引き抜き力授与部に載置されることによって、上記雄型のコネクタと上記雌型のコネクタとの接続方向及び引抜方向に略直交する平面に沿って、上記第２の嵌合部の上記第１の嵌合部に対する位置決めがなされることを特徴としている。
【００１７】
また、請求項７記載の発明は、請求項５又は６記載のスタッキングコネクタの接続実装構造に係り、上記基板部には、上記引き抜き力作用部としての少なくとも一対の作用凸部が形成され、一方の上記枠体の上記開口部の縁部には、対応する上記作用凸部が載置される上記引き抜き力授与部としての取外用凹部が形成されていることを特徴としている。
【００１８】
また、請求項８記載の発明は、請求項５又は６記載のスタッキングコネクタの接続実装構造に係り、上記基板部には、上記引き抜き力作用部としての少なくとも一対の作用凹部が形成され、一方の上記枠体の上記開口部の内壁部には、対応する上記作用凹部の縁部が載置される上記引き抜き力授与部としての取外用凸部が形成されていることを特徴としている。
【００１９】
また、請求項９記載の発明は、請求項１乃至８のいずれか１に記載のスタッキングコネクタの接続実装構造に係り、上記雄型のコネクタと上記雌型のコネクタとが嵌合されることによって、上記雄型又は雌型のコネクタが取り付けられ、他方の上記枠体に固定された第１の回路基板と、上記雌型又は雄型のコネクタが取り付けられた第２の回路基板とが接続されると共に、上記機械力と上記引き抜き力との協働により、上記筐体が上記個々の枠体に分解されると、上記雄型コネクタと上記雌型のコネクタとが切り離されて、上記第１の回路基板と上記第２の回路基板との接続が解除されることを特徴している。
【００２０】
また、請求項１０記載の発明は、請求項９記載のスタッキングコネクタの接続実装構造に係り、上記第２の回路基板としての可撓性印刷回路の一端に、上記雌型又は雄型のコネクタが、取り付けられていることを特徴としている。
【００２１】
また、請求項１１記載の発明に係る電子機器は、請求項１乃至１０のいずれか１に記載のスタッキングコネクタの接続実装構造を備えたことを特徴としている。
【発明の効果】
【００２２】
この発明の構成によれば、雄型又は雌型のコネクタには、筐体を個々の枠体に分解する際、枠体同士を切り離すために、枠体間に加えられる機械力の余力を受けて、雌型又は雄型のコネクタから引き抜かれる引き抜き力作用部が設けられていて、筐体を個々の枠体に分解する際、枠体間に加えられる機械力と引き抜き力作用部に作用する引き抜き力との協働により、筐体が個々の枠体に分解されると、雄型コネクタと雌型のコネクタとも切り離されて、スタッキングコネクタの接続を解除する構成になされているので、例えば、道具を用いることなく簡単に、取り外すことができる。
【発明を実施するための最良の形態】
【００２３】
雄型又は雌型のコネクタには、筐体を個々の枠体に分解する際、枠体同士を切り離すために、枠体間に加えられる機械力の余力を受けて、雌型又は雄型のコネクタから引き抜かれる引き抜き力作用部が設けられていて、筐体を個々の枠体に分解する際、枠体間に加えられる機械力と引き抜き力作用部に作用する引き抜き力との協働により、筐体が個々の枠体に分解されると、雄型コネクタと雌型のコネクタとも切り離されて、スタッキングコネクタの接続を解除する構成になされていることによって、例えば、道具を用いることなく簡単に、取り外すという目的を実現した。
【実施例１】
【００２４】
図１は、この発明の第１の実施例であるスタッキングコネクタ接続実装構造の構成を分解して示す分解斜視図、図２は、同スタッキングコネクタ接続実装構造の構成を示す断面図、また、図３は、同スタッキングコネクタ接続実装構造の雄型コネクタの構成を示す斜視図であって、同雄型コネクタを下方から見た図である。
【００２５】
この例のスタッキングコネクタ（積重型コネクタ）接続実装構造１は、図１及び図２に示すように、共に例えば携帯電話機（電子機器）の筐体２に実装され、ＣＰＵ（中央処理装置）やメモリ等が搭載された主回路基板（マザーボード）３に搭載された雌型コネクタ４と、主回路基板３と他の回路基板（例えば、ＳＩＭ（Subscriber Identity Module）カードコネクタが搭載されたプリント配線板等）とを接続するためのフレキシブルプリント配線板（ＦＰＣ：Flexible Printed Circuit）７の一端に取り付けられ、雌型コネクタ４と嵌合される雄型コネクタ８とが、積み重ねられた状態で、着脱自在に接続されると共に、筐体２に形成され、取外し時に雄型コネクタ８を同時に押し上げて取り外すための押上げ部９とを備え、雌型コネクタ４と雄型コネクタ８とが、押上げ部９によって取外し容易なように構成されている。
【００２６】
筐体２は、例えばＡＢＳ樹脂等の合成樹脂成形品からなり、図１及び図２に示すように、表面側を構成するフロントケース１１と、裏面側を構成するリアケース１２とを有し、組み合されたフロントケース１１とリアケース１２とが周縁部に形成されたリブによる嵌合によって、各種構成部品が内部に収納され、又は取り着けられた状態で、着脱自在に組み立てられてなっている。なお、図１及び図２においては、携帯電話機の一部を、裏面側から見た様子を示している。
【００２７】
フロントケース１１からリアケース１２を取り外して、引き上げることによって、同時に、押上げ部９によって、雄型コネクタ８が押し上げられて、嵌合凸部２３が嵌合凹部１９から引き離されて、雄型コネクタ８が雌型コネクタ４から取り外される。
【００２８】
リアケース１２には、雄型コネクタ８を雌型コネクタ４に接続する際に、ヘッダ部２２を差し入れるためのヘッダ部２２より若干大きい平面視で略矩形状の開口部１３が形成されている。
押上げ部９は、リアケース１２の開口部１３の端縁の所定の部位に形成された一対の取外用凹部１４，１５を有している。
【００２９】
各取外用凹部１４（１５）は、その底面が、取外時に、雄型コネクタ８のヘッダ部２２の作用凸部２５（２６）を押圧する押圧面１６（１７）とされている。一対の取外用凹部１４，１５は、開口部１３及び嵌合凹部１９の所定の対称軸を通り、この対称軸に対して左右対称となるように形成されている。
【００３０】
また、取外用凹部１４（１５）は、平面視で、作用凸部２５（２６）と略同一の外形寸法を有しており、主回路基板３に平行な２方向（例えば、上記対称軸に沿った方向、及び上記対称軸に直交する方向）に沿った位置決めがなされる。
これによって、嵌合凹部１９への嵌合凸部２３の誤挿入が防止され、基板側コンタクト（第１の接触端子部）１８とＦＰＣ側コンタクト（第２の接触端子部）２７との正確な接続がなされる。
【００３１】
また、この例では、接続時に、基板側コンタクト１８とＦＰＣ側コンタクト２７とが完全に接触した状態で、作用凸部２５（２６）が、押圧面１６（１７）に載置されるように構成されている。これによって、作用凸部２５（２６）が押圧面１６（１７）に突き当ったことを確認することによって、雄型コネクタ８の押込不足による接続不良が防止される。
【００３２】
雌型コネクタ４は、フロントケース１１の内面に配置された主回路基板３の開口部１３の直下に配置されるように搭載され、嵌合凸部２３が嵌合され、内部に複数の例えばピン状の（雄型の）基板側コンタクト１８，１８，…が２列に配列された枠状の嵌合凹部（ハウジング）１９を有している。雌型コネクタ４は、各基板側コンタクト１８に対応した接続端子２１，２１，…を介して、はんだ付けによって主回路基板３に接続される。
【００３３】
雄型コネクタ８は、図３に示すように、フレキシブルプリント配線板７の一端に取り付けられた平板状のヘッダ部２２に、嵌合凹部１９と嵌合し、内部に対応する基板側コンタクトと接続する複数の雌型のＦＰＣ側コンタクト２７，２７，…が２列に配列された嵌合凸部（ハウジング）２３が取り付けられて構成されている。
嵌合凸部２３は、各ＦＰＣ側コンタクト２７に対応した接続端子２４，２４，…を介して、はんだ付けによってヘッダ部２２に接続される。
【００３４】
ヘッダ部２２は、取外用凹部１４（１５）の押圧面１６（１７）に載置される作用凸部２５（２６）を有している。
なお、ＦＰＣ側コンタクトをピン状の（雄型の）コンタクトとし、基板側コンタクトを雌型のコンタクトとしても良い。
【００３５】
フレキシブルプリント配線板７に取り付けられた雄型コネクタ８を、雌型コネクタ４に接続する場合は、まず、雄型コネクタ８のヘッダ部２２を、一対の作用凸部２５，２６が、一対の取外用凹部１４，１５にそれぞれ対応するように、リアケース１２の開口部１３の真上に配置した後、降下させて、各作用凸部２５（２６）を、対応する取外用凹部１４（１５）の押圧面１６（１７）に載置するようにする。
【００３６】
このとき、同時に、嵌合凸部２３が嵌合凹部１９に嵌め込まれていく。作用凸部２５（２６）が押圧面１６（１７）に突き当るまで、嵌合凸部２３を嵌合凹部１９に押し込む。作用凸部２５（２６）が押圧面１６（１７）に突き当たると、基板側コンタクト１８とＦＰＣ側コンタクト２７とが完全に接触した状態で嵌合凸部２３が嵌合凹部１９に嵌め込まれる。このようにして、雄型コネクタ８と、雌型コネクタ４との接続が完了する。
この後、例えば、電池カバー（不図示）によって、接続箇所が覆われる（開口部１３が塞がれる。）。
【００３７】
ここで、取外用凹部１４（１５）は、平面視で、作用凸部２５（２６）と略同一の外形寸法を有しており、主回路基板３に平行な２方向（例えば、上記対称軸に沿った方向、及び上記対称軸に直交する方向）に沿った位置決めがなされる。これによって、嵌合凹部１９への嵌合凸部２３の誤挿入が防止され、雄型コネクタ８と、雌型コネクタ４との正確な接続がなされる。
【００３８】
また、この例では、接続時に、基板側コンタクト１８とＦＰＣ側コンタクト２７とが完全に接触した状態で、雄型コネクタ８の作用凸部２５（２６）が、押圧面１６（１７）に載置されるように構成されていることによって、作用凸部２５（２６）が押圧面１６（１７）に突き当ったことを確認することによって、雄型コネクタ８の押込不足による接続不良が防止される。
【００３９】
例えば、フレキシブルプリント配線板７に取り付けられた雄型コネクタ８を交換したいような場合は、まず、フロントケース１１からリアケース１２を取り外す（例えば、嵌合状態を解除する。）。
次に、例えば、一方の手でフロントケース１１を掴んで固定した状態で、リアケース１２を引き上げる。
【００４０】
これによって、取外用凹部１４（１５）の押圧面１６（１７）が、作用凸部２５（２６）を押し上げ、ヘッダ部２２が引き上げられるように力を受けるので、嵌合凸部２３が嵌合凹部１９から徐々に引き離され、同時に、ＦＰＣ側コンタクト２７は基板側コンタクト１８から離隔し、非接続状態となる。こうして、雄型コネクタ８が雌型コネクタ４から取り外される。
【００４１】
このように、この例の構成によれば、フロントケース１１からリアケース１２を取り外して、引き上げることによって、同時に、取外用凹部１４（１５）によって、雄型コネクタ８が押し上げられて、嵌合凸部２３が嵌合凹部１９から引き離されて、雄型コネクタ８が雌型コネクタ４から取り外されるので、取外用凹部１４（１５）及び作用凸部２５（２６）を設けたことによって、取外し用の道具を用いることなく、雄型コネクタ８を雌型コネクタ４から簡単に取り外すことができる。また、損傷や断線等を生じさせることなく、円滑に取り外すことができる、
【００４２】
また、取外用凹部１４（１５）は、平面視で、作用凸部２５（２６）と略同一の外形寸法を有しており、主回路基板３に平行な２方向（例えば、上記対称軸に沿った方向、及び上記対称軸に直交する方向）に沿った位置決めがなされるので、嵌合凹部１９への嵌合凸部２３の誤挿入を防止し、雄型コネクタ８と雌型コネクタ４とを正確に接続することができる。
特に、雄型コネクタと雌型コネクタとで、方向性がある場合には、目視によって、簡単に確認することができ、誤挿入を防止することができる。
【００４３】
また、接続時に、基板側コンタクトとＦＰＣ側コンタクトとが完全に接触した状態で、雄型コネクタ８の作用凸部２５（２６）が、押圧面１６（１７）に載置されるように構成されているので、作用凸部２５（２６）が押圧面１６（１７）に突き当ったことを確認することによって、雄型コネクタ８の押込不足による接続不良を防止することができる。
【実施例２】
【００４４】
図４は、この発明の第２の実施例であるスタッキングコネクタ接続実装構造の構成を分解して示す分解斜視図、図５は、同スタッキングコネクタ接続実装構造の構成を示す断面図、また、図６は、同スタッキングコネクタ接続実装構造の雄型コネクタの構成を示す斜視図であって、同雄型コネクタを下方から見た図である。
【００４５】
この例が上述した第１の実施例と大きく異なるところは、筐体の開口部の内壁に凸部を設け、雄型コネクタのヘッダ部に凸部に嵌め込まれる凹部を形成した点である。
これ以外の構成は、上述した第１の実施例の構成と略同一であるので、第１の実施例と同一の構成要素については、図４乃至図６において、図１乃至図３で用いた符号と同一の符号を用いて、その説明を簡略にする。
【００４６】
この例のスタッキングコネクタ接続実装構造１Ａは、図４及び図５に示すように、共に例えば携帯電話機の筐体３１に実装され、主回路基板３に搭載された雌型コネクタ４と、他の回路基板とを接続するためのフレキシブルプリント配線板７の一端に取り付けられ、雌型コネクタ４と嵌合される雄型コネクタ３３とが、着脱自在に接続されると共に、筐体３１に形成され、取外し時に雄型コネクタ３３を同時に押し上げて取り外すための押上げ部３４とを備え、雌型コネクタ４と雄型コネクタ３３とが、押上げ部３４によって取外し容易なように構成されている。
【００４７】
筐体３１は、図４及び図５に示すように、表面側を構成するフロントケース１１と、裏面側を構成するリアケース３５とを有している。なお、図４及び図５においては、携帯電話機の一部を、裏面側から見た様子を示している。
フロントケース１１からリアケース３５を取り外して、引き上げることによって、同時に、押上げ部３４によって、雄型コネクタ３３が押し上げられて、嵌合凸部２３が嵌合凹部１９から引き離されて、雄型コネクタ３３が雌型コネクタ４から取り外される。
【００４８】
リアケース３５には、雄型コネクタ３３を雌型コネクタ４に接続する際に、ヘッダ部４３を差し入れるためのヘッダ部４３より若干大きい平面視で略矩形状の開口部３６が形成されている。
押上げ部３４は、リアケース３５の開口部３６の内壁の所定の部位に形成された一対の取外し用凸部３７，３８を有している。
【００４９】
各取外し用凸部３７（３８）は、断面台形の形状を呈し、その側壁面が、下方へ向かうに従って幅が広くなるように傾斜し、雄型コネクタ３３の作用凹部４４（４５）を押圧する押圧面３９，３９（４１，４１）とされている。
一対の取外し用凸部３７，３８は、開口部３６及び嵌合凹部１９の所定の対称軸を通り、この対称軸に対して左右対称となるように形成されている。
【００５０】
また、取外し用凸部３７，３８は、平面視で、作用凹部４４，４５と略同一の外形寸法を有しており、主回路基板３に平行な２方向（例えば、上記対称軸に沿った方向、及び上記対称軸に直交する方向）に沿った位置決めがなされる。
これによって、嵌合凹部１９への嵌合凸部２３の誤挿入が防止され、雄型コネクタ３３と雌型コネクタ４との正確な接続がなされる。
【００５１】
また、この例では、接続時に、基板側コンタクト４２とＦＰＣ側コンタクト４６とが完全に接触した状態で、作用凹部４４（４５）が、押圧面３９，３９（４１，４１）に載置されるように構成されている。これによって、作用凹部４４（４５）が両押圧面３９，３９（４１，４１）に突き当ったことを確認することによって、雄型コネクタ３３の押込不足による接続不良が防止される。
【００５２】
雌型コネクタ４は、フロントケース１１の内面に配置された主回路基板３の開口部３６の直下に配置されるように搭載され、嵌合凸部２３が嵌合され、内部に複数の例えばピン状の（雄型の）基板側コンタクト４２，４２，…が２列に配列された枠状の嵌合凹部１９を有している。雌型コネクタ４は、各基板側コンタクト４２に対応した接続端子２１，２１，…を介して、はんだ付けによって主回路基板３に接続される。
【００５３】
雄型コネクタ３３は、図６に示すように、フレキシブルプリント配線板７の一端に取り付けられた平板状のヘッダ部４３に、嵌合凹部１９と嵌合し、内部に対応する基板側コンタクト４２と接続する複数の雌型のＦＰＣ側コンタクト４６，４６，…が２列に配列された嵌合凸部２３が取り付けられて構成されている。
【００５４】
嵌合凸部２３は、各ＦＰＣ側コンタクト４６に対応した接続端子２４，２４，…を介して、はんだ付けによってヘッダ部４３に接続される。
ヘッダ部４３は、取外用凸部３７（３８）の押圧面３９，３９（４１，４１）に載置される作用凹部４４（４５）を有している。
なお、この例でも、ＦＰＣ側コンタクトをピン状の（雄型の）コンタクトとし、基板側コンタクトを雌型のコンタクトとしても良い。
【００５５】
フレキシブルプリント配線板７に取り付けられた雄型コネクタ３３を、雌型コネクタ４に接続する場合は、まず、雄型コネクタ３３のヘッダ部４３を、一対の作用凹部４４，４５が、一対の取外用凸部３７，３８にそれぞれ対応するように、リアケース３５の開口部３６の真上に配置した後、降下させて、各作用凹部４４（４５）の縁部を、対応する取外用凸部３７（３８）の押圧面３９，３９（４１，４１）に載置するようにする。
【００５６】
このとき、同時に、嵌合凸部２３が嵌合凹部１９に嵌め込まれていく。作用凹部４４（４５）の縁部が押圧面３９，３９（４１，４１）に突き当るまで、嵌合凸部２３を嵌合凹部１９に押し込む。作用凹部４４（４５）の縁部が押圧面３９，３９（４１，４１）に突き当たると、基板側コンタクト４２とＦＰＣ側コンタクト４６とが完全に接触した状態で嵌合凸部２３が嵌合凹部１９に嵌め込まれる。
このようにして、雄型コネクタ３３と、雌型コネクタ４との接続が完了する。
【００５７】
ここで、取外用凸部３７（３８）は、平面視で、作用凹部４４（４５）と略同一の外形寸法を有しており、主回路基板３に平行な２方向（例えば、上記対称軸に沿った方向、及び上記対称軸に直交する方向）に沿った位置決めがなされる。これによって、嵌合凹部１９への嵌合凸部２３の誤挿入が防止され、雄型コネクタ３３と雌型コネクタ４との正確な接続がなされる。
【００５８】
また、この例では、接続時に、基板側コンタクト４２とＦＰＣ側コンタクト４６とが完全に接触した状態で、雄型コネクタ３３の作用凹部４４（４５）の縁部が、押圧面３９．３９（４１，４１）に載置されるように構成されていることによって、作用凹部４４（４５）が押圧面３９．３９（４１，４１）に突き当ったことを確認することによって、雄型コネクタ３３の押込不足による接続不良が防止される。
【００５９】
例えば、フレキシブルプリント配線板７に取り付けられた雄型コネクタ３３を交換したいような場合は、まず、フロントケース１１からリアケース３５を取り外す（例えば、嵌合状態を解除する。）。
次に、例えば、一方の手でフロントケース１１を掴んで固定した状態で、リアケース３５を引き上げる。
【００６０】
これによって、取外用凸部３７（３８）の押圧面３９．３９（４１，４１）が、作用凹部４４（４５）の縁部に当ってヘッダ部４３を押圧し、ヘッダ部４３が引き上げられるように力を受けるので、嵌合凸部２３が嵌合凹部１９から徐々に引き離され、同時に、ＦＰＣ側コンタクト４６は基板側コンタクト４２から離隔し、非接続状態となる。こうして、雄型コネクタ３３が雌型コネクタ４から取り外される。
【００６１】
この例の構成によれば、上述した第１の実施例と略同様の効果を得ることができる。
加えて、一段と正確に位置決めを行うことができる。
【００６２】
以上、この発明の実施例を図面を参照して詳述してきたが、具体的な構成はこの実施例に限られるものではなく、この発明の要旨を逸脱しない範囲の設計の変更等があってもこの発明に含まれる。
例えば、上述した実施例では、筐体を、フロントケースとリアケースとを組み合わせて、リブによる嵌合によって組み立てる場合について述べたが、雌ねじや雄ねじ等の固定具による締付けによって、着脱自在に組み立てるようにしても良い。
【００６３】
また、合成樹脂製の筐体を用いる場合について述べたが、合成樹脂製に限らず、例えば、マグネシウム合金製のダイカスト成形品でも良いし、他の金属製としても良いし、合成樹脂に金属を被覆した構成としても良い。
また、可撓性印刷回路として、ＦＰＣ（Flexible Printed Circuit）に代えて、ＴＣＰ（Tape Carrier Package）を用いた場合にも適用できる。また、可撓性印刷回路に限らず、互いに平行に配置した両面プリント配線板等の回路基板同士の接続にも適用できる。
【００６４】
また、雄型コネクタを主回路基板に搭載し、雌型コネクタをフレキシブルプリント配線板に取り付けるようにしても良い。
また、リアケースと、雄型コネクタとに、互いに嵌合する凸部や凹部を必ずしも設けなくても良く、開口部近傍で、リアケースと雄型コネクタとで、嵌合凸部及び嵌合凹部を挟んで両側に少なくとも一対の重なる部位があれば良い。例えば、ヘッダ部が、開口部の縁部に載置されるのみとしても良い。
また、リアケース全体を取り外す場合に限らず、一部のみ取り外して、雄型コネクタを押し上げるように構成しても良い。
【００６５】
また、リアケースに外装体を被せて、この外装体にヘッダ部が載るように接続して、外装体をリアケースから外すことで、雄型コネクタを取り外すうように構成しても良い。
また、ＦＰＣを筐体の側面から引き出すような場合は、リアケースには、ＦＰＣ引出しのための開口部を設けなくても良い。この場合、雄型コネクタと雌型コネクタとを接続した後に、リアケースとフロンケースとを嵌合するようにしても良い。
【００６６】
また、ヘッダ部が、蓋体を兼ねても良い。この場合、例えば、開口部の縁部全周に、ヘッダ部の周端部を載せるための凹部を形成する。これによって、均一に力を加えることができる。
また、コンタクトは、２列とは限らず、１列に配列しも良いし、３列以上としても良い。また、コンタクト同士は、必ずしも嵌合によらず、単に接触するのみの構成としても良い。
また、単一の筐体を用いた場合に適用しても良いし、筐体が、ヒンジ部（ヒンジ手段）で相互に結合された上側筐体と下側筐体とから構成された折畳可能な構造の携帯電話機にも適用することができる。
【００６７】
また、第１の実施例で、押圧面に対して作用凸部が必ずしも載置されていなくても浮いた状態で、雄型コネクタを、雌型コネクタに接続するように構成しても良い。これによって、フロントケースからリアケースを容易に取り外すことができる。
また、例えば、作用凸部は、２箇所に限らず、ＦＰＣに接続された側を除く３方に設けても良い。
【産業上の利用可能性】
【００６８】
電子機器としての携帯電話機のほか、簡易型携帯電話（ＰＨＳ）端末や、携帯情報端末（ＰＤＡ）等に適用することもできる。さらに、携帯型の電子機器のほか、例えば、薄型の筐体を有する他の電子機器にも適用することができる。
【図面の簡単な説明】
【００６９】
【図１】この発明の第１の実施例であるスタッキングコネクタ接続実装構造の構成を分解して示す分解斜視図である。
【図２】同スタッキングコネクタ接続実装構造の構成を示す断面図である。
【図３】同スタッキングコネクタ接続実装構造の雄型コネクタの構成を示す斜視図であって、同雄型コネクタを下方から見た図である。
【図４】この発明の第２の実施例であるスタッキングコネクタ接続実装構造の構成を分解して示す分解斜視図である。
【図５】同スタッキングコネクタ接続実装構造の構成を示す断面図である。
【図６】同スタッキングコネクタ接続実装構造の雄型コネクタの構成を示す斜視図であって、同雄型コネクタを下方から見た図である。
【図７】従来技術を説明するための説明図である。
【図８】従来技術を説明するための説明図である。
【符号の説明】
【００７０】
１，１Ａ      スタッキングコネクタの接続実装構造
２，３１      筐体
３      主回路基板（第１の回路基板）
４      雌型コネクタ（雌型のコネクタ）
７      フレキシブルプリント配線板（第２の回路基板、可撓性印刷回路）
８，３３      雄型コネクタ（雄型のコネクタ）
９，３４      押上げ部
１１      フロントケース（他方の枠体）
１２，３５      リアケース（一方の枠体）
１３，３６      開口部
１４，１５      取外用凹部（引き抜き力授与部）
１６，１７      押圧面
１８，４２      基板側コンタクト（第１の接触端子部）
１９      嵌合凹部（第１の嵌合部）
２２，４３        ヘッダ部（基板部）
２３      嵌合凸部（第２の嵌合部）
２５，２６      作用凸部（引き抜き力作用部）
２７，４６      ＦＰＣ側コンタクト（第２の接触端子部）
３７，３８      取外用凸部（引き抜き力授与部）
３９，４１      押圧面
４４，４５      作用凹部（引き抜き力作用部）
【図１】
2008135298.tif 000003
【図２】
2008135298.tif 000004
【図３】
2008135298.tif 000005
【図４】
2008135298.tif 000006
【図５】
2008135298.tif 000007
【図６】
2008135298.tif 000008
【図７】
2008135298.tif 000009
【図８】
2008135298.tif 000010